(57)【要約】【課題】所定の位置からより確実に排水することが可能な庇を提供する。【解決手段】庇板と、前記庇板の端部を収容する凹部を備えたエッジ材と、前記庇板を貫通するとともに前記エッジ材を前記庇板に固定する固定部材と、を有し、前記エッジ材は、収容された前記庇板の下方に、前記固定部材より前記凹部の奥側に設けられ上方が開放されている奥側溝部と、前記凹部の入口側に設けられ前記固定部材が貫通している孔の下方に位置し上方が開放されている入口側溝部と、前記奥側溝部と前記入口側溝部との間を仕切る突出壁部と、を有し、前記突出壁部の上端は、長手方向における全長において前記庇板と間隔が空けられている。【選択図】図７
2020076316.tif 000002
【特許請求の範囲】
【請求項１】
庇板と、
前記庇板の端部を収容する凹部を備えたエッジ材と、
前記庇板を貫通するとともに前記エッジ材を前記庇板に固定するビスと、
を有し、
前記エッジ材は、収容された前記庇板の下方に、
前記ビスより前記凹部の奥側に設けられ上方が開放されている奥側溝部と、
前記凹部の入口側に設けられ前記ビスが貫通している孔の下方に位置し上方が開放されている入口側溝部と、
前記奥側溝部と前記入口側溝部との間を仕切る突出壁部と、
を有し、
前記突出壁部の上端は、長手方向における全長において前記庇板と間隔が空けられていることを特徴とする庇。
【発明の詳細な説明】
【技術分野】
【０００１】
本発明は、庇に関する。
【背景技術】
【０００２】
庇としては、例えば、互いに隣り合う庇本体にそれぞれ設けられたビスホールをなす突部を、庇本体の側面形状と相似形状で且つ庇本体の側面外形より一廻り小さく形成された継手枠板に設けられた切り欠き部に両側から嵌合し、継手枠板の外周であって互いに隣り合う庇本体の間の隙間にシーリング材を充填した庇が知られている（例えば、特許文献１参照）。
【先行技術文献】
【特許文献】
【０００３】
【特許文献１】特公昭６３−１２９９４号公報
【発明の概要】
【発明が解決しようとする課題】
【０００４】
上記のような庇は、継手枠板の外周であって互いに隣り合う庇本体の間の隙間にシーリング材が充填されて止水されているので、シーリング材が適切に充填されていない場合、或いは、経時変化等によりシーリング材に損傷が生じた場合などは、庇本体の端部近傍において不特定の場所から雨水等の水が漏れるなど雨仕舞いが悪くなるという課題がある。
本発明は、かかる課題に鑑みてなされたものであり、その目的とするところは、所定の位置からより確実に排水することが可能な庇を提供することにある。
【課題を解決するための手段】
【０００５】
かかる目的を達成するために本発明の庇は、庇板と、前記庇板の端部を収容する凹部を備えたエッジ材と、前記庇板を貫通するとともに前記エッジ材を前記庇板に固定するビスと、を有し、前記エッジ材は、収容された前記庇板の下方に、前記ビスより前記凹部の奥側に設けられ上方が開放されている奥側溝部と、前記凹部の入口側に設けられ前記ビスが貫通している孔の下方に位置し上方が開放されている入口側溝部と、前記奥側溝部と前記入口側溝部との間を仕切る突出壁部と、を有し、前記突出壁部の上端は、長手方向における全長において前記庇板と間隔が空けられていることを特徴とする庇である。
【０００６】
なお、以下に示す実施の形態には、参考技術として下記の発明も含まれる。
庇板と、前記庇板の端部を収容する凹部を備えた端部収容材と、前記庇板を貫通するとともに前記端部収容材を前記庇板に固定する固定部材と、を有し、前記端部収容材は、前記固定部材より前記凹部の奥側に設けられている第１溝部と、前記固定部材が貫通している孔の下方に位置する第２溝部と、を有することを特徴とする庇である。
【０００７】
このような庇によれば、庇板の端部を収容する凹部に第１溝部が設けられているので、庇板の端部を伝って流れ込む水を第１溝部により所定の位置に排出させることが可能である。また、第１溝部は、第２溝部より凹部の奥側に設けられているので、たとえ第１溝部から溢れたとしても第２溝部に流れるので端部収容材の不特定な位置から水が漏れることを防止し、また第２溝部から所定の位置に排出することが可能である。
【０００８】
また、第２溝部は、固定部材が貫通している孔の下方に位置しているので、たとえ、固定部材が貫通している孔から水が漏れることがあったとしても、第２溝部により所定の位置に排出することが可能である。このため、所定の位置からより確実に排水することが可能な庇を提供することが可能である。
【０００９】
かかる庇であって、複数の前記庇板を有し、互いに隣り合う２枚の前記庇板の端部を各々収容し互いに隣り合う２つの前記端部収容材は連結材により連結されていることが望ましい。
【００１０】
このような庇によれば、互いに隣り合う２枚の庇板の互いに隣り合う２つの端部収容材を連結材により連結することにより、複数枚の庇板を有する庇の各庇板の端部においても不特定な位置から水が漏れることを防止することが可能である。
【００１１】
かかる庇であって、前記２つの端部収容材は、互いに間隔を隔てて配置され、前記連結材は、前記２つの端部収容材間を当該２つの端部収容材の下側に渡って連結しており、前記端部収容材間の前記連結材上にはシーリング材が設けられていることが望ましい。
【００１２】
このような庇によれば、２つの端部収容材間を当該２つの端部収容材の下側に渡って連結している連結材の上であって、２つの端部収容材間にシーリング材が設けられているので、２つの端部収容材と連結材との間から水が漏れることも防止することが可能である。
【００１３】
かかる庇であって、前記端部収容材は、当該庇が取り付けられる壁面に沿う方向の前記端部を収容する横端部収容材と、前記壁面と交差する方向の前記端部を収容する縦端部収容材と、を有し、前記横端部収容材と前記縦端部収容材とにより形成される角部に設けられ、前記横端部収容材と前記縦端部収容材とを連結するコーナーキャップを有し、前記コーナーキャップは、前記第１溝部と前記第２溝部と繋がって水を排出する排出部を有していることが望ましい。
【００１４】
このような庇によれば、横端部収容材と縦端部収容材とを連結するコーナーキャップが第１溝部と前記第２溝部と繋がって水を排出する排出部を有しているので、横端部収容材の第１溝部及び前記第２溝部、縦端部収容材の第１溝部及び前記第２溝部のいずれを通って排出される水もコーナーキャップの排出部から排出される。このため、庇から排出される水をコーナーキャップの排出部という特定の位置から排出すること可能である。
【００１５】
かかる庇であって、前記連結材は、前記端部収容材の下から前記第２溝部に進入するビスにより固定されており、前記第２溝部は、前記ビスが螺合される被螺合部と、前記被螺合部より低く形成された深溝部と、を有し、前記被螺合部は前記深溝部より前記第１溝部側に設けられていることが望ましい。
【００１６】
このような庇によれば、連結材を端部収容材に固定するビスは第２溝部に進入する位置に配置されているので、第１溝部及び第２溝部を避けてビス止めする場合より端部収容材を小さくすることが可能である。また、第２溝部には、ビスが螺合される被螺合部より低く形成された深溝部が設けられているので、たとえ固定部材が貫通している孔から水が漏れたとしても被螺合部には留まり難くビスが螺合している孔からの水漏れを抑えることが可能である。また、被螺合部は深溝部より第１溝部側に位置しているので、たとえ被螺合部に水が進入したとしても、第１溝部に水が進入することを防止することが可能である。
【発明の効果】
【００１７】
本発明によれば、所定の位置からより確実に排水することが可能な庇を提供することが可能である。
【図面の簡単な説明】
【００１８】
【図１】本実施形態に係る庇を示す平面図である。
【図２】図１におけるＡ−Ａ断面図である。
【図３】図１におけるＢ−Ｂ断面図である。
【図４】縦エッジ材と横エッジ材とで形成される角部を示す平面図である。
【図５】コーナーキャップと端部収容材との係わりを示す斜視図である。
【図６】縦エッジ材と横エッジ材とで形成される角部を示す正面図である。
【図７】図１におけるＣ−Ｃ断面図である。
【図８】２枚の庇板の連結部を示す平面図である。
【図９】２枚の庇板の連結部を下から見た図である。
【図１０】入り隅部における庇の納まりを示す断面図である。
【発明を実施するための形態】
【００１９】
以下、本発明の一実施形態に係る庇について図面を参照して説明する。
【００２０】
本実施形態の庇１０は、図１に示すように、２枚の庇板２が連結されて建物１の壁面１ａに固定される上吊り型の庇１０であって、建物１に後付け可能に構成されている。
【００２１】
以下の説明においては、建物１に取り付けられた状態の庇１０を壁面１ａに向かって見たときに、上下となる方向を上下方向、左右となる方向を左右方向、壁面１ａと直交する奥行き方向を見込み方向として示す。庇１０の各部位であっても、また、庇１０を構成する各部材については単体の状態であっても、建物１に取り付けられた状態にて上下方向、左右方向、見込み方向となる方向にて方向を特定して説明する。
【００２２】
庇１０は、矩形状をなす２枚の庇板２と、各庇板２の、建物１に沿う端部２ａを収容して壁面１ａに固定する壁側端固定部材４と、庇板２を建物１の躯体１ｂに固定して庇板２を上方から吊る吊り材３と、吊り材３の下端を庇板２に取り付けるための取付部材３ａと、を有している。
【００２３】
２枚の庇板２はいずれも、例えばポリカーボネートなどの合成樹脂製の矩形状をなす平板材であり、矩形状の四辺のうち壁面１ａ側の端部２ａを除き、その他の端部２ａを収容するエッジ材５が全長に渡って設けられている。
【００２４】
以下の説明においては、各庇板２の端部２ａのうちの、反壁面側の端部２ａを収容するエッジ材５と壁面１ａと直交する端部２ａを収容するエッジ材５とは、同一の部材であるが、説明の便宜上を区別する場合には、反壁面側の端部２ａを収容するエッジ材５を横エッジ材５、壁面１ａと直交する端部２ａを収容するエッジ材５を縦エッジ材５と称して説明する。
【００２５】
横エッジ材５と縦エッジ材５とにより形成される角部には、横エッジ材５の端及び縦エッジ材５の端を収容して横エッジ材５と縦エッジ材５との間に介在されるコーナーキャップ６が設けられている。ここで、庇板２の端部を収容する壁側端固定部材４及びエッジ材５が端部収容材に相当し、また、壁側端固定部材４及び横エッジ材５が横端部収容材に相当し、縦エッジ材５が縦端部収容材に相当する。
【００２６】
吊り材３は、壁側端固定部材４よりも上方の壁面１ａと、庇板２の、見込み方向における半分より反壁面側に固定された取付部材３ａとを連結することにより庇板２を保持している。吊り材３は、庇１０が取り付けられる建物１の柱や胴差、小屋梁等の横架材といった躯体１ｂに固定されている。
【００２７】
庇板２に設けられ、吊り材３の下端が取り付けられる取付部材３ａは、庇板２への吊り材３の取付位置に自由度を持たせるために、固定位置を左右方向に変更可能に構成されている。また、１枚の庇板２を支持するための吊り材３の数は、庇板２の左右方向の幅により設定される。
【００２８】
壁側固定部材４は、図２に示すように、壁面１ａに当接される壁側当接部材４０と、壁側当接部材４０とともに庇板２の壁側の端部２ａを収容する凹部４ａを形成する壁側庇板上部材４３と、壁側庇板上部材４３を上方から覆うカバー部材４４と、を有している。壁側当接部材４０、壁側庇板上部材４３、カバー部材４４は、いずれも押し出し成形部材であり、各庇板２の左右方向における全長にわたるように設けられている。
【００２９】
壁側当接部材４０は、壁面１ａに当接される壁当接部４１と、壁当接部４１の下端が壁面１ａから離れる方向に延出された庇板下延出部４２と、を有している。壁当接部４１は、上端部にカバー部材４４の上係止片４４ａが係止される上被係止部４１ａと、庇板２の端部２ａが係合される上係合片４１ｂ及び下係合片４１ｃと、上係合片４１ｂの先端から上方に突出され壁側庇板上部材４３を係止する係止片４１ｄと、を有している。
【００３０】
庇板下延出部４２は、壁当接部４１と繋がって下係合片４１ｃより下方に凹設された壁側溝部４２ａと、壁側溝部４２ａの、壁面１ａと反対側に隣接し下方に窪ませて設けられ、庇板２を貫通した固定部材としてのボルト２ｄが上方から挿入されるボルト挿入溝部４２ｂと、ボルト挿入溝部４２ｂの、壁側溝部４２ａと反対側に隣接させて設けられ下方に窪む反壁側溝部４２ｃと、を有している。ボルト挿入溝部４２ｂは、庇板２に設けられボルト２ｄが貫通する孔２ｂの下方に配置され、上端部の開口幅が狭められボルト２ｄが螺合される裏板材２ｃが係合されるように形成されている。ここで、壁側溝部４２ａが、第１溝部に相当し、ボルト挿入溝部４２ｂが、第２溝部に相当する。
【００３１】
壁側庇板上部材４３は、壁当接部４１を壁面１ａとともに挟んで躯体１ｂに固定される下躯体固定部４３ａと、下躯体固定部４３ａの下端が壁面１ａから離れる方向に延出されて庇板２の上面に配置される庇板上延出部４３ｂと、を有している。庇板上延出部４３ｂの延出された先端部には、カバー部材４４の下係止片４４ｂが係止される下被係止部４３ｃが設けられている。
【００３２】
躯体１ｂに固定された壁側当接部材４０の庇板下延出部４２及び壁側庇板上部材４３の庇板上延出部４３ｂとの間に庇板２の壁面１ａ側の端部２ａが配置され、庇板下延出部４２に係合された裏板材２ｃに庇板２及び庇板上延出部４３ｂを貫通したボルト２ｄが螺合されて固定されている。庇板２が固定された後に、上係止片４４ａが上被係止部４１ａに係止され、下係止片４４ｂが下被係止部４３ｃに係止されてカバー部材４４が取り付けられている。
【００３３】
エッジ材５は、図３に示すように、庇板２の端部２ａが収容される凹部５ａを形成し、庇板２の上面に当接され平板状をなす上面当接部５１と、上面当接部５１の端から下方に延出され庇板２の端面２ｅと対向し平板状をなす端面対向部５２と、端面対向部５２の下端から庇板２の端部２ａから中央側に延出されて庇板２の下側に配置される下延出部５３と、を有している。
【００３４】
下延出部５３は、下面が平坦に形成されている底部５３ａと、底部５３ａにおいて端面対向部５２と間隔を隔てた位置から上方に突出された突出壁部５３ｂと、下延出部５３の延出されている先端から上方に突出された先端壁部５３ｃと、先端壁部５３ｃと繋がって下方に垂設された垂壁部５３ｄと、を有している。端面対向部５２及び突出壁部５３ｂと、端面対向部５２と突出壁部５３ｂとの間に位置する底部５３ａにより凹部５ａの奥側に位置する奥側溝部５ｂが形成されており、突出壁部５３ｂ及び先端壁部５３ｃと、突出壁部５３ｂと先端壁部５３ｃとの間に位置する底部５３ａにより凹部５ａの入口側に位置する入口側溝部５ｃが形成されている。
【００３５】
また、入口側溝部５ｃを形成する底部５３ａは、入口側に奥側より深い深溝部５３ｅが形成されている。すなわち、入口側溝部５ｃ内の底部５３ａは、奥側が入口側より厚みが厚く形成されて、後述する連結材８が固定されるビス５７が螺合される被螺合部５３ｆが形成されている。
【００３６】
庇板２の端部２ａを収容し上方から貫通し防水ワッシャ５６ａが介在されたビス５６により上面当接部５１が固定された各エッジ材５は、ビス５６より、凹部５ａの奥側に突出壁部５３ｂが位置している。このため、ビス５６が貫通している孔２ｆの下方には入口側溝部５ｃが位置しており、より詳しくは、孔２ｆの下に被螺合部５３ｆが位置し、孔２ｆより、凹部５ａの入口側に深溝部５３ｅが位置している。ここで、防水ワッシャ５６ａは、必ずしも設けられていなくとも構わない。
【００３７】
庇板２の見込み方向に沿う端部２ａに設けられた縦エッジ材５と左右方向に沿う端部２ａに設けられた横エッジ材５とが形成する角部には、図４〜図６に示すように、縦エッジ材５の端と横エッジ材５の端とが挿入されるコーナーキャップ６が設けられている。コーナーキャップ６には、長手方向に対して４５度の角度をなすように各々形成された、縦エッジ材５と横エッジ材５とが、互いに隣接する端同士を突き合わされるように挿入される。
【００３８】
コーナーキャップ６は、上側に縦エッジ材５及び横エッジ材５とともに庇板２の角部が挿入される領域Ｓ１が設けられており、下側には、一方側から挿入された縦エッジ材５の小口の下部と、他方側から挿入された横エッジ材５の小口の下部が各々当接されて挟まれる中央壁部６１を有している。
【００３９】
中央壁部６１は、各エッジ材５の小口における端面対向部５２側の部位と先端壁部５３ｃ及び垂壁部５３ｄ側の部位とが当接される小口当接部６１ａを有しており、小口当接部６１ａの間には、中央壁部６１の両面を、中央壁部６１の厚みが薄くなるように窪ませて縦溝部６１ｂが設けられている。縦溝部６１ｂは、挿入されているエッジ材５の奥側溝部５ｂ及び入口側溝部５ｃと、底部５３ａの下の空間Ｓ２とが繋がって外部と連通するように形成されている。ここで、縦溝部６１ｂ及びコーナーキャップ６内の底部５３ａの下の空間Ｓ２が、第１溝部としての奥側溝部５ｂと第２溝部としての入口側溝部５ｃと繋がって水を排出する排出部に相当する。
【００４０】
２枚の庇板２が連結される部位においては、図７〜図９に示すように、一方の庇板２の端部２ａを収容する縦エッジ材５と他方の庇板２の端部２ａを収容するエッジ材５とが左右方向に間隔を隔てて連結材８により連結されている。連結材８は、２枚の庇板２の互いに隣り合う縦エッジ材５の底部５３ａの下面側に、各縦エッジ材５に渡るように配置された平板状の部材であり、下方から進入して連結材８を貫通したビス５７が防水ワッシャ５７ａを介在して被螺合部５３ｆに螺合されて固定されている。
【００４１】
縦エッジ材５の被螺合部５３ｆに螺合されているビス５７と、庇板２を上方から貫通し被螺合部５３ｆの上方に位置するビス５６とは、図２に示すように、上下方向に重ならないように、見込み方向に互いの位置をずらして配置されている。このため、たとえビス５６を伝って孔２ｆを通り入口側溝部５ｃに進入したとしても、ビス５７が貫通している孔に至る前に被螺合部５３ｆから深溝部５３ｅに水が移動しているので、ビス５７に水が至り難く構成されている。また、連結材８により連結された２つの縦エッジ材５間には、連結材８上であって各々の端面対向部５２間にシーリング材９が充填されている。
【００４２】
また、庇１０が入隅部に設けられている場合には、図１０に示すように、庇板２の壁面１ａに沿って設けられている縦エッジ材５を、壁面１ａに固定されたアングル材１ｃより下から支持し、アングル材１ｃを貫通するビス５７を被螺合部５３ｆに螺合して固定する。このとき、縦エッジ材５と壁面１ａとは間隔を隔てて配置し、壁面１ａと、縦エッジ材５の端面対向部５２との間にシーリング材９を充填することにより、庇板２の端部２ａから下側に回り込む水が壁面１ａを伝って流れることを防止する。
【００４３】
本実施形態の庇１０によれば、庇板２の端部２ａから下面側に回り込む水を排出する壁側溝部４２ａまたは奥側溝部５ｂが設けられているので、庇板２の端部２ａから下面側に回り込む水を、壁側溝部４２ａまたは奥側溝部５ｂを通して所定の位置に移動させることが可能である。また、壁側溝部４２ａは、ボルト挿入溝部４２ｂより凹部４ａの奥側に設けられており、奥側溝部５ｂは、入口側溝部５ｃより凹部５ａの奥側に設けられているので、端部２ａから下面側に回り込む水が、たとえ壁側溝部４２ａまたは奥側溝部５ｂから溢れたとしてもボルト挿入溝部４２ｂまたは入口側溝部５ｃに、まず流れるのでエッジ材５の不特定な位置から水が漏れることを防止し、また、ボルト挿入溝部４２ｂまたは入口側溝部５ｃを通して所定の位置に移動させることが可能である。
【００４４】
また、ボルト挿入溝部４２ｂはボルト２ｄが貫通している孔２ｂの下方に位置しており、入口側溝部５ｃは、ビス５６が貫通している孔２ｆの下方に位置しているので、たとえ、ボルト２ｄが貫通している孔２ｂまたはビス５６が貫通している孔２ｆから水が漏れることがあったとしても、ボルト挿入溝部４２ｂまたは入口側溝部５ｃを通して所定の位置に移動させることが可能である。このため、所定の位置からより確実に排水することが可能な庇１０を提供することが可能である。
【００４５】
また、互いに隣り合う２枚の庇板２の互いに隣り合う２つの縦エッジ材５を連結材８により連結することにより、本実施形態のような２枚の庇板２に限らず、複数枚の庇板２を有する庇１０の各庇板２の端部２ａにおいても不特定な位置から水が漏れることを防止することが可能である。
【００４６】
また、連結された２枚の庇板２において、互いに隣り合う２つの縦エッジ材５間を当該２つの縦エッジ材５の下側に渡って連結している連結材８の上であって、２つの縦エッジ材５間にシーリング材９が設けられているので、２つの縦エッジ材５と連結材８との間から水が漏れることも防止することが可能である。
【００４７】
また、横エッジ材５と縦エッジ材５とを連結するコーナーキャップ６が奥側溝部５ｂと入口側溝部５ｃと繋がって水を排出する縦溝部６１ｂ及びコーナーキャップ６内の底部５３ａの下の空間Ｓ２を有しているので、横エッジ材５の奥側溝部５ｂ及び入口側溝部５ｃ、縦エッジ材５の奥側溝部５ｂ及び入口側溝部５ｃのいずれを通って排出される水もコーナーキャップ６の縦溝部６１ｂ及びコーナーキャップ６内の底部５３ａの下の空間Ｓ２から排出される。このため、庇１０から排出される水をコーナーキャップ６の縦溝部６１ｂ及びコーナーキャップ６内の底部５３ａの下の空間Ｓ２という特定の位置から排出すること可能である。
【００４８】
また、連結材８を縦エッジ材５に固定するビス５７は入口側溝部５ｃに進入する位置に配置されているので、奥側溝部５ｂ及び入口側溝部５ｃを避けてビス止めする場合より縦エッジ材５を小さくすることが可能である。また、入口側溝部５ｃには、ビス５７が螺合される被螺合部５３ｆより低く形成された深溝部５３ｅが設けられているので、たとえビス５６が貫通している孔２ｆから水が漏れたとしても被螺合部５３ｆには留まり難くビス５７が螺合している孔からの水漏れを抑えることが可能である。また、深溝部５３ｅは奥側溝部５ｂと反対側に位置しているので、奥側溝部５ｂに水が進入することを防止することが可能である。
【００４９】
上記実施形態においては、取付部材３ａが、吊り材３の固定位置を左右方向に変更可能な構成とした例について説明したが、これに限るものではない。例えば、壁面に複数の柱に渡るように水平方向に沿うレールを設け、このレール上を吊り材の端部がスライド可能な構成とし、所定の位置にスライドさせて位置決めして固定する構成であっても構わない。この場合には、吊り材の庇板側の端を庇板に固定することが可能である。また、壁面側の固定部は、必ずしもレールでなくとも構わない。例えば、壁面に複数の柱に渡るように水平方向に沿って設けられ吊り材の端部を所定の位置で固定可能な部材が設けられている構成であっても構わない。
【００５０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５１】
１ａ  壁面、２  庇板、２ａ  端部、２ｂ  孔、２ｄ  ボルト、２ｆ  孔、
４  壁側端固定部材、４ａ  凹部、５  エッジ材、５ａ  凹部、５ｂ  奥側溝部、
５ｃ  入口側溝部、６  コーナーキャップ、８  連結材、９  シーリング材、
１０  庇、４２ａ  壁側溝部、４２ｂ  ボルト挿入溝部、５３ｅ  深溝部、
５３ｆ  被螺合部、５６  ビス、５７  ビス、６１ｂ  縦溝部、
Ｓ２  空間
【図１】
2020076316.tif 000003
【図２】
2020076316.tif 000004
【図３】
2020076316.tif 000005
【図４】
2020076316.tif 000006
【図５】
2020076316.tif 000007
【図６】
2020076316.tif 000008
【図７】
2020076316.tif 000009
【図８】
2020076316.tif 000010
【図９】
2020076316.tif 000011
【図１０】
2020076316.tif 000012